(57)【要約】【課題】  トレイ移動速度の制御方法及びトレイ移動速度の制御装置を提供する。【解決手段】  ユーザーインターフェースを介してトレイ移動速度の設定情報を受信するステップと、ユーザーインターフェースからのトレイ移動速度の設定情報をホストインターフェースを介して受信するステップと、受信されたトレイ移動速度の設定情報によってトレイ移動速度を設定するステップとを含む。これにより、製品出荷時に定められたローディング速度を、ユーザーが調節できるようにすることで、それぞれのユーザー層の好み及び感性を満足させ、ディスクローディングの不良によるディスクの記録／再生性能の低下を防止できる。【選択図】      図２
2006066061.tif 000002
【特許請求の範囲】
【請求項１】
トレイ移動速度の制御方法において、
ユーザーインターフェースを介してトレイ移動速度の設定情報を受信するステップと、
前記ユーザーインターフェースからの前記トレイ移動速度の設定情報をホストインターフェースを介して受信するステップと、
前記受信されたトレイ移動速度の設定情報によってトレイ移動速度を設定するステップとを含むことを特徴とするトレイ移動速度の制御方法。
【請求項２】
前記ユーザーインターフェースを介したトレイ移動速度の設定情報の受信ステップは、
前記トレイ移動速度をテストするための設定情報を受信するステップ、または前記トレイ移動速度を工場出荷速度に戻すための設定情報を受信するステップ、または前記トレイローディング速度とトレイイジェクト速度とを別途に設定する設定情報を受信するステップのうち、少なくとも何れか一つを含むことを特徴とする請求項１に記載のトレイ移動速度の制御方法。
【請求項３】
前記ホストを介するトレイ移動速度の設定情報受信ステップは、
標準化されたホストインターフェースに速度設定のためのコマンドを定義し、この定義されたコマンド内に速度設定値を伝達するパラメータを割り当てるステップを含むことを特徴とする請求項１に記載のトレイ移動速度の制御方法。
【請求項４】
前記トレイ移動速度設定ステップは、
一つ以上の移動速度値を有する速度テーブルから前記受信されたトレイ移動速度の設定情報による移動速度値を探して、前記移動速度値をトレイ移動速度に設定するステップを含むことを特徴とする請求項１に記載のトレイ移動速度の制御方法。
【請求項５】
トレイ移動速度制御装置において、
ユーザーインターフェースを介して入力されたトレイ移動速度の設定情報を受信するホストインターフェースと、
前記ホストインターフェースから前記トレイ移動速度の設定情報を受信して、前記トレイ移動速度の設定情報によってトレイ移動速度を設定するトレイ制御器と、を備えることを特徴とするトレイ移動速度制御装置。
【請求項６】
ユーザーによりトレイのローディング／イジェクト速度を制御する方法において、
ユーザーからトレイ移動速度の設定情報を受信するステップと、
前記受信されたトレイ移動速度の設定情報によってローディング／イジェクト速度を設定するステップとを含むことを特徴とする方法。
【請求項７】
前記受信は、ホストインターフェースに連結された速度設定部を備えるユーザーインターフェースを介して行われることを特徴とする請求項６に記載の方法。
【請求項８】
前記トレイは、パソコンに連結され、ドライブまたは別途のユーザーインターフェースの属性情報は、ユーザーが取扱い可能に配置されることを特徴とする請求項６に記載の方法。
【請求項９】
前記ユーザーに、ユーザーがローディング速度とイジェクト速度とを設定できるメニューを提供するステップを更に含むことを特徴とする請求項６に記載の方法。
【請求項１０】
各ローディング速度とイジェクト速度は、低速から高速に、高速から低速に設定されることを特徴とする方法。
【請求項１１】
前記ユーザーが変更された設定速度をテストできるように、ユーザーにテストメニューを提供するステップと、
前記トレイ速度が前記開始速度に再設定されるように、前記ユーザーに初期化メニューを提供するステップと、を更に含むことを特徴とする請求項９に記載の方法。
【請求項１２】
前記トレイは、プレーヤーとレコーダとを備えるオーディオ／ビジュアル（Ａ／Ｖ）セットに連結され、
前記方法は、ユーザーが前記Ａ／Ｖセットのグラフィックユーザーインターフェースでトレイ速度を設定できるメニューを提供するステップを更に含むことを特徴とする請求項６に記載の方法。
【請求項１３】
ローディング速度とイジェクト速度のうち、何れか一つを別途に設定する機会を前記ユーザーに提供するステップを更に含むことを特徴とする請求項１２に記載の方法。
【請求項１４】
ユーザーが変更された設定速度をテストできるように、ユーザーにテストメニューを提供するステップと、
前記トレイ速度が初期速度に再設定されるように、前記ユーザーに初期化メニューを提供するステップと、を更に含むことを特徴とする請求項１３に記載の方法。
【請求項１５】
ユーザーからトレイローディング／イジェクト速度設定命令を受信するために、ホストのユーザーインターフェースを備えるトレイローディング装置において、
前記トレイを駆動するためのトレイ駆動モータと、
前記トレイ駆動モータが、前記ローディング／イジェクト速度設定命令による速度で作動するように、前記トレイ駆動モータを制御するトレイコントローラと、
前記トレイコントローラと前記ホストのＵＩとの間に情報伝送を仲介するホストインターフェースとを備えることを特徴とするトレイローディング装置。
【請求項１６】
前記ホストインターフェースは、速度設定命令を通じて前記トレイコントローラに前記命令を伝達することを特徴とする請求項１５に記載のトレイローディング装置。
【請求項１７】
前記トレイコントローラは、速度設定命令を受信するための速度設定部を備えることを特徴とする請求項１５に記載のトレイローディング装置。
【請求項１８】
前記速度設定部は、設定速度保存部に速度設定命令の設定を保存し、前記設定に応じて前記トレイのディスクをローディングまたはイジェクトすることを特徴とする請求項１７に記載のトレイローディング装置。
【請求項１９】
ユーザーにより設定された速度によって、ホストからディスクをローディングまたはイジェクトする方法において、
トレイローディングまたはイジェクト命令を受信するステップと、
前記ユーザーにより設定された速度を反映する保存されたトレイ速度を読み取るステップと、
前記読み取られたトレイ速度で前記ホストから前記トレイローディングまたはイジェクトするようにトレイ駆動モータを制御するステップとを含むことを特徴とする方法。
【請求項２０】
請求項１９に記載の方法を行う命令が保存されたコンピュータで読み取り可能な媒体。
【発明の詳細な説明】
【技術分野】
【０００１】
本発明は、光ディスクのディスクローディングシステムに係り、更に具体的には、トレイ移動速度の制御方法及びトレイ移動速度の制御装置に関する。
【背景技術】
【０００２】
ディスクローディングシステムは、トレイローディングシステムとも呼ばれる。
【０００３】
図１は、従来技術に係るトレイローディングシステムの概略的なブロック図である。図１を参照するに、トレイローディングのための全体的なシステムは、フロントエンドとバックエンドとを含み、フロントエンドは、トレイモータ１１０、サーボ制御部１２０、及びホストインターフェース１３０を含む。
【０００４】
トレイモータ１１０は、トレイを駆動させるモータであり、サーボ制御部１２０は、トレイモータ１１０が定められた速度によって駆動するように制御し、ホストインターフェース１３０は、サーボ制御部１２０とパソコン、あるいはＡ／Ｖ（オーディオ／ビデオ）１４０の間で情報伝達を仲介する。バックエンドは、パソコンまたはＡ／Ｖプレーヤー１４０などを備え、ユーザーインターフェース（以下、ＵＩ）等からユーザー命令を受けて、これをホストインターフェース１３０に伝達する。
【０００５】
このような従来の光ディスクのディスクローディングシステムは、製品メーカーにより定められた速度によってディスクをローディング／イジェクト（あるいは、開／閉）している。すなわち、現在販売されている光ディスクのローディングシステムは、製品メーカーにより定められた速度でディスクをローディング／イジェクトしている。ユーザーは、この速度を可変する方法がなく、製品メーカーの立場では、これを具現する別途のコマンドセットが備えられていない。フロントエンドとバックエンドとの間でデータの仲介役割を行うホストインターフェース（ＡＴＡＰＩ（ＡＴアタッチメントパケットインタフェース）、ＳＣＳＩ（スモールコンピュータシステムインタフェース）、ＡＴＡ等）の規格には、トレイローディング／イジェクトコマンドについては定義されているが、トレイの速度に関する内容は定義されていない。また、トレイコントローラは、あらかじめ定められた定数あるいはテーブルによりディスクトレイを開閉している。
【０００６】
しかし、製品メーカーにより製品出荷時に定められたローディング速度は、あらゆるユーザー層の好み及び感性を満足させることができず、製品選択の重要なポイントとなり、また、このような一部ユーザーの不満が製品の品質評価に波及されて表れている実情である。これを解消するために、メーカーは、一つのモデルに対してディスクのローディング速度を差別化して販売することは、難しいという実情である。また、最近、パソコンのスリム化の傾向により、パソコンが薄くなり、光ディスクの垂直設置が頻繁になって、ディスクがトレイに挟まる現象、トレイのオープン時にディスクを落とす現象などが発生し、また、ディスクローディングの不良により、ディスクの記録／再生性能が低下しうる。したがって、場合によっては、光ディスクドライブの安定性のために、トレイ開閉の駆動速度を可変させる必要性がある。
【発明の開示】
【発明が解決しようとする課題】
【０００７】
本発明は、前記問題点を解決するためになされたものであって、定められたローディング速度をユーザーが調節できるようにするトレイ移動速度の制御方法及び装置を提供することを目的とする。
【課題を解決するための手段】
【０００８】
前記課題を解決するための本発明の一つの特徴は、トレイ移動速度の制御方法において、ａ）ＵＩを介してトレイ移動速度の設定情報を受信するステップと、ｂ）前記ＵＩからの前記トレイ移動速度の設定情報をホストインターフェースを介して受信するステップと、ｃ）前記受信されたトレイ移動速度の設定情報によってトレイ移動速度を設定するステップとを含むことである。
【０００９】
前記ａ）ステップは、前記トレイ移動速度をテストするための設定情報を受信するステップ、または前記トレイ移動速度を工場出荷速度に戻すための設定情報を受信するステップ、または前記トレイローディング速度とトレイイジェクト速度とを別途に設定する設定情報を受信するステップのうち、少なくとも何れか一つを含むことが好ましい。
【００１０】
前記ｂ）ステップは、標準化されたホストインターフェースに速度設定のためのコマンドを定義し、この定義されたコマンド内に速度設定値を伝達するパラメータを割り当てるステップを含むことが好ましい。
【００１１】
前記ｃ）ステップは、一つ以上の移動速度値を有する速度テーブルから前記受信されたトレイ移動速度の設定情報による移動速度値を探して、前記移動速度値をトレイ移動速度に設定するステップを含むことが好ましい。
【００１２】
本発明の他の特徴は、トレイ移動速度制御装置において、ＵＩを介して入力されたトレイ移動速度の設定情報を受信するホストインターフェースと、前記ホストインターフェースから前記トレイ移動速度の設定情報を受信して、前記トレイ移動速度の設定情報によってトレイ移動速度を設定するトレイ制御器とを備えることである。
【発明の効果】
【００１３】
本発明によれば、製品出荷時に定められたローディング速度を、ユーザーが調節できるようにすることで、それぞれのユーザー層の好み及び感性を満足させ、ディスクローディングの不良によりディスクの記録／再生性能の低下を防止できる。
【発明を実施するための最良の形態】
【００１４】
以下、添付された図面を本発明を詳細に説明する。
【００１５】
本発明は、前記従来技術の問題点を効果的に解決するために、光ディスクのバックエンド側であるパソコン、あるいはＡ／Ｖプレーヤーでステップ別の速度設定のための専用ＵＩを設け、バックエンドでユーザーが入力したトレイローディング／イジェクト速度をホストインターフェースを介してトレイ制御器に伝達して速度設定を完了する。本発明は、光ディスクを含んで、トレイモータを移動させてローディング／イジェクト動作を行うあらゆる装置に該当する。
【００１６】
図２は、本発明に係るトレイローディングシステムの構成図である。図２を参照するに、ホスト２２０は、ＵＩ  ２２１を備え、ＵＩ  ２２１は、特に、本発明によってユーザーからトレイ移動速度の設定情報を入力されるためのトレイ速度設定部２２２を備える。このようなトレイ速度設定のために、速度を入力されるための専用メニューを設けうる。
【００１７】
パソコンをホストとして使用する場合には、ドライブの登録情報あるいは別途の入力用ＵＩを設けて、これを介してトレイローディング速度を入力される。トレイのステップ別の速度入力は、ローディングとイジェクトとを別途に入力する。図３には、パソコンでドライブ登録情報設定メニューを通じてトレイ速度を入力されるためのメニューの一例が図示されている。
【００１８】
図３を参照するに、トレイローディング速度設定メニュー３００が図示されており、ユーザーは、ローディング速度３１０とイジェクト速度３２０とを別途に設定できるようになっている。また、各ローディング速度とイジェクト速度は、ステップ別にｓｌｏｗからｆａｓｔにまで設定できるようになっている。また、ユーザーは、変更設定した速度をテストできるように、テスト３３０メニューが設けられており、また、トレイ速度を最初の工場出荷速度に戻して設定できる初期化３４０メニューも設けられている。
【００１９】
また、Ａ／Ｖセット（プレーヤーあるいはレコーダー等）の場合、Ａ／ＶのＧＵＩ（グラフィカルユーザインタフェース）にトレイ速度設定のための専用メニューを設けて、これを通じてトレイのローディング速度を入力される。図４にＡ／Ｖプレーヤー等で速度設定のための専用メニューが設けられたＵＩが図示されている。
【００２０】
図４を参照するに、トレイローディング速度設定メニュー４００が図示されており、ユーザーは、ローディング速度４１０とイジェクト速度４２０とを別途に選択して、設定メニュー４３０を通じて設定できるようになっている。また、各ローディング速度とイジェクト速度は、ステップ別にｓｌｏｗからｆａｓｔにまで設定できるようになっている。また、ユーザーは、変更設定した速度をテストできるようにテスト４４０メニューが設けられており、また、トレイ速度を最初の工場出荷速度に戻して設定できる初期化４５０メニューも設けられている。
【００２１】
トレイローディングシステム２１０は、トレイ駆動モータ２１１と、トレイ制御器２１２と、ホストインターフェース２１５とを備える。
【００２２】
トレイ駆動モータ２１１は、トレイを駆動させるモータであり、トレイ制御器２１２は、トレイ駆動モータ２１１が定められた速度によって駆動するように制御し、ホストインターフェース２１５は、トレイ制御器２１２とホスト２２０のＵＩ  ２２１との間で情報伝達を仲介する。
【００２３】
まず、ホストインターフェース２１５を具体的に説明する。
【００２４】
ホストインターフェース２１５は、ＵＩと連結されてＵＩの命令を速度設定コマンド２１６を介してトレイ制御器２１２に伝達する。
【００２５】
ホストインターフェース２１５は、ＡＴＡＰＩ及びＳＣＳＩなどを使用でき、いかなる種類のホストインターフェースを使用しても、予備使用領域内に新たなベンダー指定コマンドを定義し、ＵＩからの速度設定情報をトレイ制御器に伝達する。現在、ＡＴＡＰＩやＳＣＳＩ、ＡＴＡ（ＡＴアタッチメント）等の標準化されたホストインターフェースフォーマットには、トレイローディング／イジェクト命令以外のトレイの速度設定及びデータ伝送のための別途のコマンドセットが定義されていないため、これをベンダー指定コマンド領域の予備領域内に定義して割り当て、このコマンド内に速度設定値を伝達するためのパラメータ領域を定義して割り当てることにより、トレイ移動速度の設定情報を伝達できる。
【００２６】
トレイ制御器２１２の速度設定部２１３は、特に、本発明によってホストインターフェース２１５とあらかじめ約束されたプロトコルによりバックエンド部の速度設定を受け入れて、これを設定速度保存部２１４（不揮発性メモリ）に保存し、以後、この速度設定値によりトレイをローディングまたはイジェクトする。例えば、トレイ制御器２１２は、トレイを駆動させるために、多様なステップの速度テーブル、数式、または値（図示せず）を有している。トレイ制御器２１２は、ホストインターフェース２１５から伝達されたトレイ速度設定情報に対応する速度設定値には、該当する速度テーブル、数式、または値を不揮発性メモリに保存して、次の電源がオフ時にもこれを記憶させ、この記憶された値でトレイを駆動することが好ましい。
【００２７】
図５は、本発明によってトレイ速度を設定する過程を表すフローチャーチである。
【００２８】
まず、ホストのＵＩを介してトレイ速度変更を設定する（５１０）。前記したように、パソコンの場合には、ドライブ登録情報設定メニューを通じてトレイ速度設定メニューを提供でき、Ａ／Ｖプレーヤーの場合には専用トレイ速度設定メニューを提供できる。また、トレイローディング速度とイジェクト速度とを別途に設定でき、初期化させることもできる。
【００２９】
ホストのＵＩは、ユーザーからトレイ速度設定情報を受信して、このようなトレイ速度設定情報をホストインターフェースに伝送する（５２０）。その後、ホストインターフェースは、受信された速度設定情報をトレイ制御器に伝送する（５３０）。例えば、ホストインターフェースは、ＡＴＡＰＩ及びＳＣＳＩなどを使用して、予備使用領域内に新たなベンダー指定コマンドを定義することにより、ＵＩからの速度設定情報をトレイ制御器に伝達できる。
【００３０】
トレイ制御器は、受信された速度設定情報を設定速度保存部に保存する（５４０）。例えば、トレイ制御器は、トレイを駆動させるために、多様なステップの速度テーブル、数式、または値を有しており、ホストインターフェースから伝達されたトレイ速度設定情報に対応する速度設定値に該当する速度テーブル、数式、または値を設定速度保存部に保存する。
【００３１】
図６は、本発明によってディスクをローディングまたはイジェクトする過程を表すフローチャートである。
【００３２】
トレイ制御器は、トレイローディングまたはイジェクト命令を受信すれば（６１０）、トレイ制御器は、設定速度保存部に保存されたトレイ速度を読み取る（６２０）。
【００３３】
トレイ制御器は、設定速度保存部から読み取ったトレイ速度でトレイをローディングまたはイジェクトするようにトレイ駆動モータを制御する（６３０）。
【００３４】
以上、前記したようなトレイ移動速度の制御方法は、さらに、コンピュータで読み取リ可能な記録媒体に、コンピュータで読み取り可能なコードとして具現することが可能である。コンピュータで読み取り可能な記録媒体は、コンピュータシステムによって読み取られ得るデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットを介した伝送）の形態で具現されるものも含む。また、コンピュータで読み取り可能な記録媒体は、ネットワークで連結されたコンピュータシステムに分散されて、分散方式でコンピュータで読み取り可能なコードが保存されて実行されうる。そして、前記トレイ移動速度の制御方法を具現するための機能的なプログラム、コード及びコードセグメントは、当業界のプログラマーらにより容易に推論されうる。
【００３５】
これまで、本発明についてその好ましい実施例を中心に説明した。当業者は、本発明が本発明の本質的な特性から逸脱しない範囲で変形された形態で具現されうることを理解できるであろう。したがって、開示された実施例は、限定的な観点ではなく、説明的な観点から考慮されねばならない。本発明の範囲は、前記した説明ではなく特許請求の範囲に開示されており、それと同等な範囲内にあるあらゆる差異点は、本発明に含まれているものとして解釈されねばならい。
【産業上の利用可能性】
【００３６】
本発明は、ディスクローディングシステムに関連した技術分野に好適に適用され得る。
【図面の簡単な説明】
【００３７】
【図１】従来技術に係るトレイローディングシステムの概略的なブロック図である。
【図２】本発明に係るトレイローディングシステムの構成図である。
【図３】本発明によるトレイ速度設定のためのＵＩの一例を示す図である。
【図４】本発明によるトレイ速度設定のためのＵＩの他例を示す図である。
【図５】本発明によるトレイ速度を設定する過程を表すフローチャートである。
【図６】本発明によるディスクをローディングまたはイジェクトする過程を表すフローチャートである。
【符号の説明】
【００３８】
２１０  トレイローディングシステム
２１１  トレイ駆動モータ
２１２  トレイ制御器
２１３  速度設定部
２１４  設定速度保存部
２１５  ホストインターフェース
２１６  速度設定コマンド
２２０  ホスト
２２１  ＵＩ
２２２  トレイ速度設定部
【図１】
2006066061.tif 000003
【図２】
2006066061.tif 000004
【図３】
2006066061.tif 000005
【図４】
2006066061.tif 000006
【図５】
2006066061.tif 000007
【図６】
2006066061.tif 000008